(57)【要約】  【課題】ユーザによるファインダの使用を簡易な方法により検出して、ユーザの利便性を向上させる。  【解決手段】表示制御装置は、ユーザの操作を受けつけるとともに、情報をユーザに提示する第１の表示部と、第２の表示部と、第１の表示部からの入力に基づいて、第１の表示部による表示と、第２の表示部による表示とを切り替える制御部とを備える。【選択図】図１
2014003422.tif 000002
【特許請求の範囲】
【請求項１】
ユーザの操作を受けつけるとともに、情報をユーザに提示する第１の表示部と、
第２の表示部と、
前記第１の表示部からの入力に基づいて、前記第１の表示部による表示と、前記第２の表示部による表示とを切り替える制御部と
を備える表示制御装置。
【請求項２】
前記制御部が、前記入力に基づいて、前記第１の表示部に接触または接近する対象が人の顔であるか否かを判定し、前記判定の結果に応じて、前記第１の表示部による表示と、前記第２の表示部による表示とを切り替える請求項１に記載の表示制御装置。
【請求項３】
前記判定が、前記入力から算出される評価値と、あらかじめ用意される１以上のしきい値のうちの１つとの比較によりなされる請求項２に記載の表示制御装置。
【請求項４】
前記第１の表示部に対する接触または接近が、前記第１の表示部の表示領域に想定される格子点に対応した領域への接触または接近を単位として検出され、
前記評価値が、前記第１の表示部に対する接触または接近の検出された単位の数から算出される請求項３に記載の表示制御装置。
【請求項５】
前記評価値が、前記第１の表示部に対する接触または接近の検出された１以上の領域の間の相対位置関係と、あらかじめ規定された形状パターンとの類似度から算出される請求項３に記載の表示制御装置。
【請求項６】
前記評価値が、前記第１の表示部に対する接触または接近の検出された１以上の領域の面積から算出される請求項３に記載の表示制御装置。
【請求項７】
前記第１の表示部に接触または接近する対象が人の顔であると判定されたときに、あらかじめ設定された機能の実行に関する画像が前記第１の表示部に表示される請求項２に記載の表示制御装置。
【請求項８】
前記画像が、前記第１の表示部の表示領域のうち、前記第１の表示部に対する接触または接近の検出されない領域に表示される請求項７に記載の表示制御装置。
【請求項９】
筺体の内部に配置される撮像素子と、
前記筺体に連結され、ユーザの操作を受けつけるとともに、情報をユーザに提示する第１の表示部と、
表示の方向が前記第１の表示部の表示の方向と略同じ方向に設定される第２の表示部と、
前記第１の表示部からの入力に基づいて、前記第１の表示部による表示と、前記第２の表示部による表示とを切り替える制御部と
を備える撮像装置。
【請求項１０】
前記第２の表示部が、前記筺体に対して着脱自在とされる請求項９に記載の撮像装置。
【請求項１１】
前記制御部が、前記入力から算出される評価値と、あらかじめ用意される１以上のしきい値のうちの１つとの比較により、前記第１の表示部に接触または接近する対象が人の顔であるか否かを判定する請求項９に記載の撮像装置。
【請求項１２】
２以上のモードを有し、
前記１以上のしきい値のうちの１つが、前記モードに応じて選択される請求項１１に記載の撮像装置。
【請求項１３】
１以上の手ぶれ補正機構と、
少なくとも振動を検出する検出素子と
をさらに備え、
前記検出素子の検出結果に応じて、手ぶれ補正の度合いが調整される請求項９に記載の撮像装置。
【請求項１４】
１以上の手ぶれ補正機構と、
をさらに備え、
前記第２の表示部による表示に切り替わった場合、手ぶれ補正の度合いが調整される請求項９に記載の撮像装置。
【請求項１５】
１以上の手ぶれ補正機構と、
をさらに備え、
前記第２の表示部による表示に切り替わった場合、ＩＳＯ感度を上げ、シャッタースピードを速くする請求項９に記載の撮像装置。
【請求項１６】
ユーザの操作を受けつけるとともに、情報をユーザに提示する第１の表示部からの入力に基づいて、前記第１の表示部による表示と、第２の表示部による表示とを切り替えること
を含む表示制御方法。
【発明の詳細な説明】
【技術分野】
【０００１】
本開示は、表示制御装置および撮像装置ならびに表示制御方法に関する。より詳細には、本開示は、ファインダへの近接センサの配置を不要とする表示制御装置および撮像装置ならびに表示制御方法に関する。
【背景技術】
【０００２】
一般的に、デジタル方式のカメラは、撮像により得られる画像を表示するモニタを備えている。そのため、カメラのユーザ（以下、単に“ユーザ”と適宜称する。）は、撮影した画像をモニタに表示させることにより、所望の画像が得られたかどうかをその場で確認することができる。
【０００３】
また、モニタおよびファインダの双方を備えるカメラも知られている。ファインダを使用することにより、撮影の際のユーザによるカメラの保持が安定する。そのため、ファインダの使用により、ユーザの所望する構図の撮影が容易となる。
【０００４】
ところで、カメラがモニタおよびファインダの双方を備える場合、ユーザがファインダを使用しているときにモニタの表示がオンとされていると、モニタの発する光がファインダを覗くユーザの目に入ったり、無駄な電力消費が発生したりする。
【０００５】
そのため、例えば、筺体に配置されたボタンに対する操作やメニュー操作により、モニタの表示と、ファインダ内の表示との切り替えが可能とされたカメラも存在する。なお、下記の特許文献１では、ファインダに近接センサを配置して、近接センサの検出結果に基づいて、タッチパネル（“タッチスクリーン”とも呼ばれる。）に対する操作を無効とすることが提案されている。
【先行技術文献】
【特許文献】
【０００６】
【特許文献１】特開２００１−０５９９８４号公報
【発明の概要】
【発明が解決しようとする課題】
【０００７】
しかしながら、関連技術として例示する特許文献１に記載の技術では、ユーザによるファインダの使用を検出するために、専用の部品（近接センサ）が必要となってしまう。ユーザによるファインダの使用を検出するための専用の部品をカメラに設けることは、カメラの構造が大きくなってしまう。
【０００８】
そこで、ユーザによるファインダの使用を簡易な方法により検出して、ユーザの利便性を向上させることが望まれている。
【課題を解決するための手段】
【０００９】
本開示の第１の好ましい実施態様は、
表示制御装置が、第１の表示部と、第２の表示部と、制御部とを備える。
第１の表示部は、ユーザの操作を受けつけるとともに、情報をユーザに提示する。
制御部は、第１の表示部からの入力に基づいて、第１の表示部による表示と、第２の表示部による表示とを切り替える。
【００１０】
本開示の第２の好ましい実施態様は、
撮像装置が、撮像素子と、第１の表示部と、第２の表示部と、制御部とを備える。
撮像素子は、筺体の内部に配置される。
第１の表示部は、筺体に連結され、ユーザの操作を受けつけるとともに、情報をユーザに提示する。
第２の表示部は、表示の方向が第１の表示部の表示の方向とほぼ同じ方向に設定される。
制御部は、第１の表示部からの入力に基づいて、第１の表示部による表示と、第２の表示部による表示とを切り替える。
【００１１】
本開示の第３の好ましい実施態様は、
ユーザの操作を受けつけるとともに、情報をユーザに提示する第１の表示部からの入力に基づいて、第１の表示部による表示と、第２の表示部による表示とを切り替えることを含む表示制御方法である。
【００１２】
本明細書中における、“タッチパネル”は、入力素子単体を指すものではなく、情報を表示する機能を備えるものを指すものとする。
【発明の効果】
【００１３】
少なくとも１つの実施例によれば、製造コストの上昇を抑えながら、ユーザの利便性を向上させることができる。
【図面の簡単な説明】
【００１４】
【図１】図１Ａは、本開示の実施の形態にかかる撮像装置の一例を示す背面図である。図１Ｂは、撮像装置の使用状態の一例を示す概略図である。図１Ｃは、ユーザがファインダを覗いたときに、ユーザに観察される像の一例を示す概略図である。
【図２】図２Ａは、本開示の実施の形態にかかる表示制御装置の構成例を示す機能ブロック図である。図２Ｂは、本開示の実施の形態にかかる撮像装置の構成例を示す機能ブロック図である。
【図３】図３Ａおよび図３Ｂは、ユーザによるモニタへの入力操作の一例を示す概略図である。
【図４】図４Ａは、ユーザが撮像装置の底面をほぼ水平として、ユーザが撮像装置のファインダを覗いた状態を示す概略図である。図４Ｂは、電極の配置に対応した格子点に対する重みづけの例を示す概略図である。
【図５】図５Ａおよび図５Ｂは、ユーザによるモニタへの入力操作の一例を示す概略図である。
【図６】図６Ａは、ユーザが撮像装置の底面をほぼ水平として、ユーザが撮像装置のファインダを覗いた状態を示す概略図である。図６Ｂは、モニタに対するユーザの接触の可能性の高さに応じた重みづけの例を示す概略図である。
【図７】図７Ａは、モニタの表示領域のうち、ユーザが右目で撮像装置のファインダを覗いた状態において、ユーザの鼻、唇または頬の接近する可能性の高い領域を模式的に示す概略図である。図７Ｂは、モニタの表示領域のうち、ユーザが左目で撮像装置のファインダを覗いた状態において、ユーザの鼻、唇または頬の接近する可能性の高い領域を模式的に示す概略図である。
【図８】図８Ａは、モニタの表示領域のうち、ユーザが右目で撮像装置のファインダを覗いた状態において、ユーザの鼻、唇または頬の接近する可能性の高い領域と、ユーザが左目で撮像装置のファインダを覗いた状態において、ユーザの鼻、唇または頬の接近する可能性の高い領域とを示す概略図である。図８Ｂは、モニタの表示領域のうち、垂直状態とされた撮像装置のファインダをユーザが右目で覗いたときに、ユーザの鼻、唇または頬の接近する可能性の高い領域を模式的に示す概略図である。
【図９】図９Ａは、モニタの表示領域のうち、垂直状態とされた撮像装置のファインダをユーザが左目で覗いたときに、ユーザの鼻、唇または頬の接近する可能性の高い領域を模式的に示す概略図である。図９Ｂは、モニタの表示領域のうち、ユーザが右目で撮像装置のファインダを覗いた状態において、ユーザの鼻、唇または頬の接近する可能性の高い領域と、ユーザが左目で撮像装置のファインダを覗いた状態において、ユーザの鼻、唇または頬の接近する可能性の高い領域とを示す概略図である。
【図１０】図１０Ａは、垂直状態とされた撮像装置のファインダをユーザが右目で覗いた状態を示す概略図である。図１０Ｂは、垂直状態とされた撮像装置のファインダをユーザが左目で覗いた状態を示す概略図である。
【図１１】図１１は、本開示の実施の形態にかかる処理の一例を示すフローチャートである。
【図１２】図１２Ａは、評価値算出の処理の一例を示すフローチャートである。図１２Ｂは、しきい値選択の処理の一例を示すフローチャートである。
【図１３】図１３Ａは、撮像装置の第２の変形例を示す側面図である。図１３Ｂは、撮像装置の本体部からファインダユニットが取り外された状態を示す側面図である。
【図１４】図１４Ａおよび図１４Ｂは、撮像装置の第３の変形例を示す背面図である。
【図１５】図１５Ａおよび図１５Ｂは、モニタの表示領域のうち、ユーザがファインダを使用するときに、ユーザの顔と重ならない領域に機能アイコンが表示される撮像装置の例を示す背面図である。
【発明を実施するための形態】
【００１５】
以下、表示制御装置および撮像装置ならびに表示制御方法の実施の形態について説明する。説明は、以下の順序で行う。
＜１．一実施の形態＞
［１−１．撮像装置の構成と動作の概略］
［１−２．表示制御装置および撮像装置の構成例］
（１−２−１．表示制御装置の構成例）
（１−２−２．撮像装置の構成例）
［１−３．接触または接近する対象の推定］
［１−４．物体の接触に基づく判定］
（１−４−１．接触点の個数に基づく評価値）
（１−４−２．複数の接触点の間の相対位置関係に基づく評価値）
（１−４−３．接触面積に基づく評価値）
［１−５．物体の接触または接近に基づく判定］
［１−６．撮像装置の構え方に応じた評価値の算出の例］
［１−７．撮像装置のモードに応じたしきい値調整の例］
［１−８．表示制御装置における処理の一例］
（１−８−１．表示の切り替え処理）
（１−８−２．評価値算出の処理）
（１−８−３．しきい値選択の処理）
＜２．変形例＞
［２−１．第１の変形例］
［２−２．第２の変形例］
［２−３．第３の変形例］
【００１６】
以下に説明する実施の形態は、表示制御装置および撮像装置ならびに表示制御方法の好適な具体例である。以下の説明においては、技術的に好ましい種々の限定が付されているが、特に本開示を限定する旨の記載がない限り、表示制御装置および撮像装置ならびに表示制御方法の例は、以下に示す実施の形態に限定されないものとする。なお、以下の説明においては、同一またはほぼ同様の構成を備える部材には共通の参照符号を付す。
【００１７】
＜１．一実施の形態＞
以下では、デジタルカメラを例にとり、本開示の表示制御装置および撮像装置ならびに表示制御方法の好適な具体例について説明する。以下の説明により明らかとなるように、本開示の表示制御装置および撮像装置ならびに表示制御方法の適用例は、デジタルカメラに限定されるものではない。
【００１８】
［１−１．撮像装置の構成と動作の概略］
図１Ａは、本開示の実施の形態にかかる撮像装置の一例を示す背面図である。図１Ｂは、撮像装置の使用状態の一例を示す概略図である。
【００１９】
図１Ａに示すように、撮像装置１０は、具体的には、筺体１００の内部に撮像素子が配置されるデジタル方式のカメラである。したがって、撮像装置１０には、筺体１００の背面などにモニタ１１ｍが設けられている。
【００２０】
モニタ１１ｍは、ユーザの操作を受けつける入力装置としての機能を備えるとともに、情報をユーザに提示する表示装置としての機能を備えている。すなわち、モニタ１１ｍは、具体的には、表示素子および入力素子（検出素子）を備えるタッチパネルとして構成される。なお、図１Ａでは、モニタ１１ｍにタッチするユーザの指を、二点鎖線により模式的に示した。以下の説明おいても、同様とする。
【００２１】
図１Ａに示すように、例えば、モニタ１１ｍには、撮像素子により取得される、被写体に関する画像が表示される。また、モニタ１１ｍには、必要に応じて、撮影に使用されるパラメータに関する情報などが、被写体に関する画像に重畳して表示される。撮影に使用されるパラメータに関する情報としては、例えば、シャッタスピードや絞りの開き、ＩＳＯ感度などが挙げられる。これらの情報は、例えば、アイコンやインジケータ、文字、ピクトグラムなどの形態により、ユーザに提示される。
【００２２】
また、モニタ１１ｍがタッチパネルとして構成されるため、モニタ１１ｍには、必要に応じて、撮影に使用される設定を変更するためのアイコンなどが被写体に関する画像に重畳して表示される。図１Ａでは、顔検出のオンまたはオフを切り替えるためのアイコンＩｃがモニタ１１ｍに表示される例を示した。
【００２３】
図１Ａでは、ユーザの操作により、顔検出がオンとされた例を示している。図１Ａでは、撮像装置１０が被写体の顔を認識していることを示すインジケータＩｄが、被写体に関する画像に重畳して表示された状態を示している。
【００２４】
撮像装置１０は、図１Ａに示すように、撮像素子により得られる画像を確認するためのファインダ１２ｆをさらに備えている。したがって、図１Ｂに示すように、ユーザは、ファインダ１２ｆを使用して被写体や構図の確認を行うことができる。図１Ｂでは、ファインダ１２ｆを覗くユーザの顔を、投影図として二点鎖線により模式的に示した。以下の説明おいても、同様とする。なお、図１Ｂは、ユーザが右目でファインダを覗いている状態を模式的に示す図である。
【００２５】
このように、撮像装置１０では、ユーザは、撮影時におけるシーンやユーザの嗜好に応じてモニタ１１ｍまたはファインダ１２ｆを使い分けることができる。
【００２６】
図１Ｃは、ユーザがファインダを覗いたときに、ユーザに観察される像の一例を示す概略図である。
【００２７】
図１Ｃに示すように、ファインダ１２ｆを覗くユーザには、被写体の像に加えて、例えば、撮影に使用されるパラメータに関する情報などが観察される。
【００２８】
具体的には、例えば、撮像装置１０は、ユーザがモニタ１１ｍに表示される画像を確認している時またはユーザがタッチパネルとしてのモニタ１１ｍを操作している時にモニタ１１ｍに表示されるアイコンやインジケータなどとほぼ同様の情報をユーザに提示する。もちろん、ユーザがファインダ１２ｆを介して観察する情報と、モニタ１１ｍの提示する情報とが、同一でなくでもかまわない。例えば、表示される情報量や表示の形態が、ユーザがファインダ１２ｆを使用する場合と、ユーザがモニタ１１ｍを使用する場合との間で異なっていてもかまわない。図１Ｃでは、撮影に使用されるパラメータに関する情報や、顔検出のインジケータＩｄ、撮影により得られる画像の中心および範囲を示すインジケータＩｆが被写体の像とともにユーザに観察される例を示した。
【００２９】
ところで、撮像装置１０のファインダ１２ｆは、電子ファインダまたは光学式ファインダとして構成される。
【００３０】
撮像装置１０のファインダ１２ｆが電子ファインダとして構成される場合、ファインダ１２ｆの内部には、有機ＥＬ(Electroluminescence:電界発光効果)ディスプレイや液晶ディスプレイ（Liquid Crystal Display（ＬＣＤ））などからなる表示素子が配置される。したがって、撮像装置１０のファインダ１２ｆが電子ファインダとして構成される場合には、撮像素子により取得される、被写体に関する画像と、撮影に使用されるパラメータに関する情報とが、ファインダ１２ｆの内部に配置される表示素子に重畳して表示される。
【００３１】
一方、撮像装置１０のファインダ１２ｆが光学式ファインダとして構成される場合には、例えば、ペンタプリズムなどからなる光学系と、液晶ディスプレイなどの表示素子とが、ファインダ１２ｆの内部に配置される。この場合、ユーザは、ファインダ１２ｆの内部に配置される表示素子に表示される、撮影に使用されるパラメータに関する情報と、ペンタプリズムなどからなる光学系を介して得られる、被写体に関する像とを同時に観察する。したがって、ユーザは、電子式ファインダの場合と同様にして、撮影に使用されるパラメータに関する情報および被写体に関する像の両方を確認することができる。以下では、ファインダ１２ｆが電子ファインダであるか光学式ファインダであるかを区別せずに、ファインダ１２ｆの内部に配置される表示素子を“ファインダ内モニタ”と称することとする。
【００３２】
本開示では、ユーザがファインダ１２ｆを使用しようとして、撮像装置１０に顔を近づけると、モニタ１１ｍの表示内容と、ファインダ内モニタの表示内容とが、ともに変更される。具体的には、例えば、モニタ１１ｍの表示領域のうちのほぼ全体が、“黒”の表示に変更され、モニタ１１ｍに表示されていた情報に対応した情報が、ファインダ内モニタに表示される。ユーザがファインダ１２ｆから顔を離すと、例えば、モニタ１１ｍの表示内容が、ユーザがファインダ１２ｆを覗く前の状態に戻され、ファインダ内モニタの表示が、“黒”の表示に変更される。
【００３３】
または、例えば、ユーザが撮像装置１０に顔を近づけると、モニタ１１ｍの表示がオフとされるとともに、ファインダ内モニタの表示がオンとされる。ユーザがファインダ１２ｆから顔を離すと、ファインダ内モニタの表示がオフとされ、モニタ１１ｍの表示が再びオンとされる。言い換えれば、ユーザがモニタ１１ｍを使用しようとしているか、またはファインダ１２ｆを使用しようとしているかに応じて、モニタ１１ｍの表示のオンまたはオフと、ファインダ内モニタの表示のオンまたはオフとが、切り替えられる。
【００３４】
すなわち、この場合、ユーザがモニタ１１ｍに表示される画像を確認している時またはユーザがタッチパネルとしてのモニタ１１ｍを操作している時には、図１Ａに示すように、モニタ１１ｍの表示がオンとされることに対して、ファインダ内モニタの表示がオフとされる。一方、ユーザがファインダ１２ｆを覗いている時には、図１Ｂおよび図１Ｃに示すように、ファインダ内モニタの表示がオンとされることに対して、モニタ１１ｍの表示がオフとされる。
【００３５】
したがって、ユーザがモニタ１１ｍおよびファインダ１２ｆの一方を使用して、被写体に関する像や撮影に使用されるパラメータに関する情報を確認する時には、使用されていない側の表示素子が、例えば、オフとされ、電力の無駄な消費が抑制される。この場合、モニタ１１ｍの発する光がファインダ１２ｆを覗くユーザの目に入ることもないため、ユーザの撮影に支障が生じることもない。
【００３６】
このように、本開示では、モニタ１１ｍの表示およびファインダ内モニタの表示が、ユーザがファインダ１２ｆを覗いているか否かに応じて切り替えられる。
【００３７】
本開示の実施の形態では、ユーザがファインダ１２ｆを覗いているか否かが、人の顔がモニタ１１ｍに接触または接近しているか否かにより判定される。人の顔がモニタ１１ｍに接触または接近しているか否かは、タッチパネルとして構成されるモニタ１１ｍからの入力に基づいて判定される。人の顔がモニタ１１ｍに接触または接近しているか否かの判定や、モニタ１１ｍの表示およびファインダ内モニタの表示の切り替えは、例えば、後述する制御部によりなされる。
【００３８】
本開示によれば、人の顔がモニタに接触または接近しているか否かが、タッチパネルとして構成されるモニタからの入力に基づいて判定されるため、ユーザによるファインダの使用を検出するための近接センサなどの専用の部品を不要とすることができる。
【００３９】
［１−２．表示制御装置および撮像装置の構成例］
（１−２−１．表示制御装置の構成例）
図２Ａは、本開示の実施の形態にかかる表示制御装置の構成例を示す機能ブロック図である。
【００４０】
図２Ａに示すように、本開示の実施の形態にかかる表示制御装置１は、少なくとも、第１の表示部１１と、第２の表示部１２と、制御部１３とを含んでいる。
【００４１】
第１の表示部１１は、ユーザの操作を受けつけるとともに、情報をユーザに提示する。図１Ａおよび図１Ｂに示すモニタ１１ｍは、第１の表示部１１に対応し、図１Ａおよび図１Ｂに示すファインダ１２ｆは、第２の表示部１２に対応している。
【００４２】
制御部１３は、第１の表示部１１からの入力に基づいて、第１の表示部１１による表示と、第２の表示部１２による表示とを切り替える。
【００４３】
より具体的には、制御部１３は、第１の表示部１１からの入力に基づいて、第１の表示部１１に接近する対象が人の顔であるか否かを判定する。第１の表示部１１に接近する対象が人の顔であるか否かの判定の詳細については、後述する。制御部１３は、第１の表示部１１に接近する対象が人の顔であるか否かの判定の結果に応じて、第１の表示部１１による表示と、第２の表示部１２による表示とを切り替える。
【００４４】
（１−２−２．撮像装置の構成例）
図２Ｂは、本開示の実施の形態にかかる撮像装置の構成例を示す機能ブロック図である。
【００４５】
図２Ｂに示すように、撮像装置１０は、少なくとも、撮像素子１５と、第１の表示部１１と、第２の表示部１２と、制御部１３とを含んでいる。以下、結像光学系１１１、撮像素子１５、Ａ／Ｄ変換部１１３、前処理部１１５、エンコーダ／デコーダ１１７、記憶部１１９、操作部１２１、センサ１９、手ぶれ補正機構１７、制御部１３、第１の表示部１１および第２の表示部１２について順に説明する。
【００４６】
（結像光学系）
結像光学系１１１は、１以上のレンズを含む光学系である。結像光学系１１１は、撮像装置１０の筺体１００の内部に配置される撮像素子１５の撮像面に、被写体の像を結像させる。
【００４７】
結像光学系１１１に配置される１以上のレンズの少なくとも１つは、例えば、オートフォーカスのために移動が自在とされている。これらのレンズは、レンズ駆動機構により移動される。レンズ駆動機構に対する制御信号は、後述する制御部１３から供給される。また、レンズの移動量などに関する情報が、後述する制御部１３に供給される。
【００４８】
結像光学系１１１は、必要に応じて、１以上のミラーを含む。例えば、撮像装置が一眼レフレックスカメラである場合には、被写体からの光が、筺体の内部に配置されるミラーにより反射されて、筺体の上部に配置されるファインダの光学系に導かれる。また、例えば、撮像装置がペリクルミラー搭載型のカメラである場合には、被写体からの光の一部が、筺体の内部に配置される半透過ミラーにより反射されて、筺体の上部または下部に配置されるオートフォーカスセンサに導かれる。
【００４９】
なお、撮像装置１０が、結像光学系１１１にミラーを含まない場合にも、本開示は適用可能である。すなわち、撮像装置１０が、いわゆる“ミラーレス一眼カメラ”などと呼ばれるデジタルカメラであっても本開示は適用可能である。このように、本開示は、撮像装置１０内部のミラーの有無を問わない。
【００５０】
（撮像素子）
被写体からの光は、結像光学系１１１を介して撮像素子１５に入射する。撮像素子１５は、後述する制御部１３の制御により供給されるタイミング信号にしたがって、被写体に関する画像信号を出力する。撮像素子１５により取得された、被写体に関する画像信号は、Ａ（analog）／Ｄ（digital）変換部１１３に出力される。撮像素子１５としては、例
えば、ＣＭＯＳ（complementary metal-oxide semiconductor）やＣＣＤ（charge-coupled device）などが挙げられる。
【００５１】
（Ａ／Ｄ変換部）
Ａ／Ｄ変換部１１３は、後述する制御部１３の制御にしたがって、撮像素子１５から出力されるアナログ信号に対してＡ／Ｄ（analog-digital）変換を行い、デジタル信号を出力する。Ａ／Ｄ変換部１１３から出力される信号は、前処理部１１５に供給される。
【００５２】
（前処理部）
前処理部１１５は、後述する制御部１３の制御にしたがって、被写体に関する画像信号に対して所定の信号処理を行う。被写体に関する画像信号に対する信号処理としては、例えば、デジタルゲイン調整や、ガンマ補正、色補正、コントラスト補正などが挙げられる。
【００５３】
（エンコーダ／デコーダ）
エンコーダ／デコーダ１１７は、後述する制御部１３の制御にしたがい、前処理部１１５により信号処理の施された信号に対して、符号化方式を利用したエンコード（符号化）を行う。例えば、エンコーダ／デコーダ１１７は、前処理部１１５により信号処理の施された画像信号をＪＰＥＧ（Joint Photographic Experts Group）などの圧縮符号化方式により圧縮し、圧縮後のデータを生成する。符号化により得られるデータは、例えば、後述する記憶部１１９に格納される。
【００５４】
また、エンコーダ／デコーダ１１７は、後述する記憶部１１９から読みだされるデータのデコード（復号）を行う。復号化された情報は、例えば、後述する制御部１３に供給される。
【００５５】
（記憶部）
記憶部１１９は、例えば、撮像装置１０に対して着脱が自在とされる外部記憶装置と、撮像装置１０の内部に固定される内部記憶装置とを含む。外部記憶装置または内部記憶装置に適用される記憶媒体としては、例えば、フラッシュメモリ、光ディスク、ハードディスク、光磁気ディスク、ＭＲＡＭ（Magnetoresistive Random Access Memory：磁気抵抗
メモリ）などが挙げられる。
【００５６】
撮影により得られた画像データは、例えば、リーダ／ライタを介して記憶部１１９に保存される。画像データを、外部記憶装置または内部記憶装置のいずれに保存させるかは、例えば、ユーザが任意に設定可能とされている。
【００５７】
（操作部）
操作部１２１は、撮像装置１０の筺体１００に配置される機能ボタンの群やレリーズボタンなどの各種の入力素子を含む。操作部１２１は、撮像装置１０を操作するためのユーザインターフェースとして機能する。操作部１２１が、リモートコントローラなどの外部制御装置を含んでいてもよい。操作部１２１の受けつけた、ユーザの入力操作に応じた操作信号は、後述する制御部１３に出力される。
【００５８】
（センサ）
撮像装置１０は、必要に応じて、撮像装置１０の姿勢や、撮像装置１０に与えられる振動を検出するための１以上のセンサ１９を備えている。撮影時における撮像装置１０の姿勢に関する情報は、後述する制御部１３により、例えば、メタデータとして画像データに付加される。
【００５９】
撮像装置１０の姿勢を検出するための検出素子としては、振動ジャイロスコープや加速度センサなどが挙げられる。または、例えば、角度センサや、いわゆる縦横センサにより撮像装置１０の角度を検出するようにしてもよいし、レンズ駆動機構のアクチュエータへの負荷から撮像装置１０の姿勢を検出するようにしてもよい。縦横センサは、スロットの内部に配置されたボールが、スロットの内側のどの面に接触しているかを検出することにより、撮像装置１０の筺体１００の角度を検出するセンサである。
【００６０】
（手ぶれ補正機構）
撮像装置１０は、必要に応じて、１以上の手ぶれ補正機構１７を備える。例えば、手ぶれ補正機構１７が光学式の補正機構とされる場合、撮像装置１０に与えられた振動に応じて、撮像素子１５自体または結像光学系１１１に配置される補正レンズが、該振動による影響を打ち消す方向に移動させられる。撮像装置１０に与えられる振動は、例えば、センサ１９として撮像装置１０の筺体１００の内部に配置される振動ジャイロスコープにより検出される。
【００６１】
手ぶれ補正が、後述する制御部１３により実行されてもよい。この場合、撮像素子１５から得られる画像信号に対する演算により補正が行われる。もちろん、光学系に対する物理的な手ぶれ補正と、画像信号に対する電気的な手ぶれ補正とが組み合わせられてもよい。
【００６２】
（制御部）
制御部１３は、プロセッサを含む処理装置であり、制御部１３は、例えば、デジタルシグナルプロセッサ（Digital Signal Processor（ＤＳＰ））やＣＰＵ（central processing unit）として構成される。
【００６３】
制御部１３は、後述する第１の表示部１１からの入力に基づいて、例えば、第１の表示部１１に接近する対象が人の顔であるか否かの判定を行い、判定の結果に応じて、第１の表示部１１による表示と、第２の表示部１２による表示とを切り替える。また、制御部１３は、撮像装置１０の各部を制御するとともに、例えば、操作部１２１や、後述する第１の表示部１１からの入力に応じた処理の結果を出力する。
【００６４】
なお、各種の演算処理や、撮像装置１０の各部の制御を行うためのプログラムは、例えば、制御部１３に接続されるＲＯＭ（Read-Only Memory）１２３やＲＡＭ（Random Access Memory）１２５、記憶部１１９などに格納される。
【００６５】
制御部１３は、記憶部１１９におけるデータの読み出しおよび書き込みを制御するほか、必要に応じて、例えば、外部記憶装置に格納されたプログラムの取得を行う。外部記憶装置などに格納されたプログラムを制御部１３が取得することにより、例えば、撮像装置１０を制御するためのプログラムやソフトウェアの更新がなされる。
【００６６】
（第１の表示部）
第１の表示部１１は、例えば、撮像装置１０の筺体１００の背面などに配置される表示装置である。第１の表示部１１は、例えば、ヒンジなどを介して撮像装置１０の筺体１００に連結される。第１の表示部１１は、ユーザの操作を受けつけるとともに、情報をユーザに提示する。
【００６７】
第１の表示部１１は、具体的には、タッチパネルとして構成され、タッチパネルは、例えば、表示素子および入力素子の組から構成される。
【００６８】
第１の表示部１１を構成する表示素子としては、例えば、有機ＥＬディスプレイや液晶ディスプレイなどが挙げられる。
【００６９】
第１の表示部１１を構成する表示素子は、制御部１３の制御のもとで駆動される。したがって、第１の表示部１１には、例えば、撮像素子１５の光電変換の作用により得られる、被写体に関する画像や、ユーザからの入力に対する処理の結果が表示される。また、例えば、第１の表示部１１には、撮影に使用される各種パラメータの設定値を変更するための１以上のアイコンや、メニュー操作のための１以上のアイコンなどが表示される。
【００７０】
検出素子としての入力素子は、例えば、第１の表示部１１を構成する表示素子の表面に積層されている。または、検出素子としての入力素子は、第１の表示部１１を構成する表示素子の外周部に配置されている。第１の表示部１１が、“イン・セル（in-cell）”と
呼ばれる、表示素子の内部に入力素子の機能の実装されたタッチパネルとして構成されていてもよい。
【００７１】
第１の表示部１１は、例えば、第１の表示部１１に対するユーザの接触または接近を検出するが、検出素子としての入力素子は、少なくとも物体の接触または接近を検出できればよく、第１の表示部１１が特定の対象のみを選択して検出する必要はない。
【００７２】
第１の表示部１１を構成する入力素子は、例えば、第１の表示部１１を構成する表示素子に表示されるアイコンに対する、ユーザの指などの接触を検出する。第１の表示部１１を構成する入力素子は、第１の表示部１１の表示領域のうち、ユーザがどの部分に触れたかに関する情報を制御部１３に出力する。制御部１３は、第１の表示部１１からの出力を入力として、第１の表示部１１を構成する表示素子のうち、ユーザの触れた部分に表示されているアイコンに対応する機能の実行を撮像装置１０の各部に指示したり、該アイコンに対応するパラメータの設定値を変更したりする。
【００７３】
第１の表示部１１が、第１の表示部１１に対するユーザの接触だけでなく、第１の表示部１１に対するユーザの体の接近をさらに検出できることが好ましい。特に、第１の表示部１１が、第１の表示部１１に対するユーザの顔の接近を検出できることが好ましい。なお、第１の表示部１１に対するユーザの顔の接近と、第１の表示部１１を構成する表示素子に表示される画面の内容（アイコンやインジケータなど）との間には、直接的な関連性がなくともよい。
【００７４】
第１の表示部１１は、少なくとも、第１の表示部１１に対するユーザの体の接触または接近のいずれかが検出できればよく、第１の表示部１１における検出の方式は、特に限定されない。第１の表示部１１における検出の方式としては、具体的には、例えば、投影型静電容量方式や表面型静電容量方式（アナログ容量結合方式）、画像認識方式、赤外線走査方式、赤外線再帰反射方式、抵抗膜方式、超音波表面弾性波方式、音響パルス認識方式、振動検出方式などが挙げられる。これらの１種以上を組み合わせて使用してもよい。
【００７５】
第１の表示部１１を構成する入力素子が、多点検出できる入力素子であることが好ましく、第１の表示部１１を構成する入力素子が、第１の表示部１１に対する物体の接近を検出できる入力素子であることがさらに好ましい。
【００７６】
第１の表示部１１に対するユーザの体の接触または接近を検出する観点から、第１の表示部１１における検出の方式として投影型静電容量方式が選択されることが好ましい。例えば、第１の表示部１１に対してユーザの体が接触していない時に、隣り合う複数の電極を結合させて実効的な電極面積を増大させることにより、第１の表示部１１に対するユーザの体の接近を第１の表示部１１に検出させることも可能である。
【００７７】
もちろん、第１の表示部１１に対するユーザの体の接触または接近の検出方法は、投影型静電容量方式による検出方法だけに限られない。例えば、第１の表示部１１を構成する表示素子の外周部に、赤外線走査方式の入力素子を複数積層しておけば、第１の表示部１１に対するユーザの体の接触および接近を第１の表示部１１に検出させることが可能である。
【００７８】
第１の表示部１１が、第１の表示部１１に対するユーザの接触および接近の両方を検出できる場合には、後述するように、第１の表示部１１に接近する対象が人の顔であるか否かの判定における設計に、より幅広さを持たせることができる。
【００７９】
（第２の表示部）
第２の表示部１２は、接眼レンズと、有機ＥＬディスプレイや液晶ディスプレイなどの表示素子とを備える。ファインダ内モニタとしての表示素子は、ファインダ１２ｆの内部に配置される。
【００８０】
ファインダ１２ｆの内部に配置された表示素子は、制御部１３の制御のもとで駆動され、少なくとも、撮影に関する情報を表示する。撮影に関する各種情報の表示のオンまたはオフは、例えば、ユーザの操作部１２１への入力操作による切り替えが可能とされる。したがって、ユーザは、所望の種類の情報をファインダ１２ｆ内の表示素子に選択的に表示させて撮影を行うことが可能とされている。
【００８１】
撮像装置１０の筺体１００と、第２の表示部１２とは、一体的に構成される。または、第２の表示部１２は、撮像装置１０の筺体１００に連結される。このとき、第２の表示部１２は、例えば、第１の表示部１１に対して上方に配置される。
【００８２】
第２の表示部１２が撮像装置１０の筺体１００に対して可動とされていてもよいが、本開示では、第２の表示部１２の表示の方向が、少なくとも、第１の表示部１１の表示の方向とほぼ同じ方向とできるようにされている。したがって、ファインダ１２ｆ内の表示素子に表示される情報を、ユーザが接眼レンズを介して観察する時には、モニタ１１ｍの表示面が、ユーザの顔に対向する。
【００８３】
［１−３．接触または接近する対象の推定］
上述したように、本開示では、ユーザがファインダを覗いていると判断されると、第１の表示部１１による表示と、第２の表示部１２による表示とが切り替えられる。ユーザがファインダを覗いているか否かは、第１の表示部１１に接触または接近する対象が人の顔であるか否かにより判定される。以下、第１の表示部１１に接近する対象が人の顔であるか否かの判定方法の例について説明する。
【００８４】
第１の表示部１１に接触または接近する対象が人の顔であるか否かの判定は、例えば、第１の表示部１１からの入力に基づいて算出される評価値と、第１の表示部１１に接近する対象が人の顔であるか否かの判定のための基準値（以下、単に“しきい値”と適宜称する。）との比較によりなされる。
【００８５】
より具体的には、第１の表示部１１により物体の接触または接近が検出されると、第１の表示部１１の出力から、まず、第１の表示部１１に接触または接近する対象が人の顔であるか否かの判定のための評価値が算出される。次に、算出された評価値と、あらかじめ用意されるしきい値とが比較される。そして、例えば、評価値がしきい値を上回る場合に、第１の表示部１１に接近する対象が人の顔であると判定され、第１の表示部１１による表示と、第２の表示部１２による表示とが切り替えられる。
【００８６】
評価値は、例えば、第１の表示部１１に対する接触点の個数や、第１の表示部１１に対する複数の接触点の間の相対位置関係、第１の表示部１１に対する接触面積などをもとにして算出される。なお、評価値は、第１の表示部１１に対する接触のほか、第１の表示部１１に対する接近の度合いや、第１の表示部１１に対する接触および第１の表示部１１に対する接近の度合いをもとにして算出することもできる。
【００８７】
［１−４．物体の接触に基づく判定］
まず、第１の表示部１１が物体の接触を検出可能に構成された場合における、評価値の算出の例について説明する。
【００８８】
（１−４−１．接触点の個数に基づく評価値）
図３Ａおよび図３Ｂは、ユーザによるモニタへの入力操作の一例を示す概略図である。
【００８９】
上述したように、モニタ１１ｍは、タッチパネルとしての機能を有している。したがって、撮像装置１０は、モニタ１１ｍからの出力により、モニタ１１ｍに対するユーザの体の接触を検出することができる。
【００９０】
図３Ａは、ユーザが人差し指でモニタ１１ｍに触れている状態を示している。例えば、モニタに表示されるメニュー項目の選択や、撮影の実行の指示、ズーム倍率の変更などの場面においては、ユーザが１本の指でモニタに触れることが多い。このような入力のための操作としては、例えば、タッチ操作、なぞり操作、いわゆる“フリック”操作、いわゆる“タップ”操作などが挙げられる。
【００９１】
モニタ１１ｍに対してこれらの操作が行われる場合における、ユーザの体とモニタ１１ｍとの接触は、概略的には、１点における接触とみなすことができる。なお、図３Ａでは、ユーザの体とモニタ１１ｍとの接触点を網掛けの円により模式的に示した。以下の説明においても、同様とする。
【００９２】
図３Ｂは、ユーザが人差し指と親指とでモニタ１１ｍに触れている状態を示している。ユーザが２本の指を使ってモニタ１１ｍに触れる場合、ユーザは、例えば、いわゆる“ピンチ”操作により、モニタ１１ｍに表示される画像の拡大縮小や回転などを撮像装置１０に指示することもできる。例えば、撮影により得られた画像をモニタに表示させた場合などにおいては、ユーザが２本の指でモニタに触れることも多い。ユーザが２本の指でモニタ１１ｍに触れる場合における、ユーザの体とモニタ１１ｍとの接触は、概略的には、２点における接触とみなすことができる。
【００９３】
図４Ａは、ユーザが撮像装置の底面をほぼ水平として、ユーザが撮像装置のファインダを覗いた状態を示す概略図である。
【００９４】
ユーザのファインダ１２ｆの使用時、被写体の像に関する光がファインダ１２ｆの接眼レンズからユーザの目に向かう方向と、モニタ１１ｍの表示の方向とが、ほぼ平行となる。そのため、ユーザがファインダ１２ｆを使用する際には、ユーザの顔と、モニタ１１ｍの表示面とが対向する。
【００９５】
このとき、ユーザの顔のうち、鼻、唇および右頬の３点がモニタ１１ｍの表示面に向けて相対的に突出するため、図４Ａに示すように、ユーザの鼻、唇および右頬の３点がモニタ１１ｍに接触することになる。すなわち、ユーザがタッチパネルとしてのモニタ１１ｍを指で操作する場合の接触点の個数が高々２点程度であることに対して、ユーザがファインダ１２ｆを覗く場合の接触点の個数は、３点以上であると考えられる。
【００９６】
言い換えれば、ユーザがファインダ１２ｆを覗いている状態においては、ユーザがモニタ１１ｍを指で操作する場合と比較して、ユーザの体と、モニタ１１ｍの表面とが、より多くの箇所で接触するといえる。すなわち、例えば、モニタ１１ｍに対するユーザの体の接触点の個数を評価値として、ユーザがファインダ１２ｆを覗いているか否かの判定を制御部１３に行わせることが可能である。
【００９７】
このように、第１の表示部１１に対するユーザの接触を第１の表示部１１により検出させ、第１の表示部１１からの出力に基づいて接触点の個数を調べることにより、第１の表示部１１に接近する対象が人の顔であるか否かを判定することができる。
【００９８】
モニタ１１ｍに対するユーザの体の接触点の個数を評価値として採用することにより、ユーザがファインダ１２ｆを覗いているか否かの判定を簡便に行うことができる。接触点の個数を評価値として採用する場合、判定方法がシンプルであるため、接触点の個数のみによる判定を容易に実装することができる。また、例えば、モニタ１１ｍが物体の接触しか検出できない（物体の接近を検出できない）タッチパネルとして構成される場合であっても、ユーザがファインダ１２ｆを覗いているか否かの判定を撮像装置１０に行わせることが可能である。
【００９９】
（１−４−２．複数の接触点の間の相対位置関係に基づく評価値）
第１の表示部１１が、多点検出の可能なタッチパネルとして構成される場合、接触点の個数による判定のほか、複数の接触点の間の相対位置関係による判定も可能である。
【０１００】
図４Ａに示すように、モニタ１１ｍの表示面に向けて相対的に突出する、ユーザの鼻、唇および頬の３点を結ぶと、モニタ１１ｍの左上の部分に三角形のパターンが形成される。したがって、第１の表示部１１により、第１の表示部１１に対するユーザの接触点の座標を検出させて、これらの入力に基づいて複数の接触点の位置を調べることにより、第１の表示部１１に接近する対象が人の顔であるか否かを判定することができる。
【０１０１】
すなわち、タッチパネルとして構成された第１の表示部１１に対する複数の接触点を結んで得られる図形の形状のパターンと、ユーザの鼻、唇および頬の３点を結んで得られる三角形状のパターンとを制御部１３に比較させればよい。例えば、第１の表示部１１からの入力に基づいて、２つのパターンの類似度を評価値として制御部１３に算出させる。該評価値と、あらかじめ用意されたしきい値とを制御部１３に比較させることにより、第１の表示部１１に接近する対象が人の顔であるか否かを判定させることができる。
【０１０２】
なお、例えば、複数の接触点の間の相対位置関係に基づく判定において、モニタ１１ｍに対する接触点ごとにあらかじめ重みづけを行っておき、重みつきの評価値を制御部１３に算出させるようにしておいてもよい。
【０１０３】
図４Ｂは、電極の配置に対応した格子点に対する重みづけの例を示す概略図である。
【０１０４】
例えば、モニタ１１ｍの横方向および縦方向に配列された複数の電極の配置に対応させて、格子点を設定し、格子点ごとに、重みＷi（下付き文字のｉは、複数の重みを区別す
るためのインデックスである。）を設定しておく。なお、図４Ｂでは、モニタ１１ｍの横方向および縦方向に配列された複数の電極の位置を、破線により模式的に示した。電極の配列方向は、モニタ１１ｍの表示面に平行な面内で任意に設定してよく、モニタ１１ｍの横方向に配列された複数の電極と、縦方向に配列された複数の電極とが、必ずしも直交していなくともよい。
【０１０５】
各格子点に設定される重みＷiは、例えば、ユーザがファインダ１２ｆを覗いたときに
おける、ユーザの顔と、モニタ１１ｍとの接触の可能性の高さに応じて設定される。
【０１０６】
図４Ｂでは、図４Ａにおいて網掛けの円により模式的に示した、ユーザの体とモニタ１１ｍとの接触点を、二点鎖線により示している。例えば、図４Ｂにおいて黒い円の描かれた格子点に対しては、Ｗ0＝１０が設定され、図４Ｂにおいて白い円の描かれた格子点に
対しては、Ｗ1＝５が設定される。これに対して、その他の格子点に対しては、例えば、
Ｗ2＝０が設定される。
【０１０７】
さらに、モニタ１１ｍに対する接触の検出の有無に応じて、ブール値Ｂj（下付き文字
のｊは、各格子点を区別するためのインデックスである。）を設定しておく。例えば、モニタ１１ｍに対する接触が検出された格子点に、ブール値として、Ｂj＝１を対応させ、
モニタ１１ｍに対する接触が検出されない格子点に、ブール値として、Ｂj＝０を対応さ
せる。
【０１０８】
そして、例えば、評価値として積和ΣＷiＢjを算出し、該評価値と、しきい値とを比較することにより、ユーザがファインダ１２ｆを覗いているか否かを判定することができる。
【０１０９】
複数の接触点の間の相対位置関係に基づく判定によれば、第１の表示部１１に接近する対象が人の顔であるか否かの判定が、簡易なパターンマッチングにより行われるので、撮像装置１０の誤動作のおそれが低減される。例えば、ユーザが３本の指でモニタ１１ｍに触れたとする。このとき、接触点の個数による判定と比較して、複数の接触点の間の相対位置関係による判定では、ユーザの意図しない切り替え処理の実行される可能性は低い。特に、ユーザの鼻、唇および頬の接触するであろう位置から離れた場所に、アイコンの表示位置を調整しておけば、誤動作の可能性をさらに低減させることができる。
【０１１０】
（１−４−３．接触面積に基づく評価値）
第１の表示部１１が、多点検出の可能なタッチパネルとして構成される場合、接触面積による判定も可能である。
【０１１１】
例えば、モニタ１１ｍの横方向および縦方向に配列された複数の電極の配置に対応させて、格子点を設定しておく。このとき、モニタ１１ｍに対する接触が検出された格子点の個数を合計（積分）すれば、モニタ１１ｍに対するユーザの体の接触面積（モニタ１１ｍの表示面積の全体に対する、ユーザの触れている部分の割合（面積比）と言ってもよい。）を見積もることができる。これは、上述した、複数の接触点の間の相対位置関係による判定において、各格子点に対応する重みを等しく設定することと同じである。
【０１１２】
上述したように、ユーザがタッチパネルとしてのモニタ１１ｍを指で操作する場合の接触点の個数は、高々２点程度であると考えられるから、モニタ１１ｍに対する接触面積は、ユーザがファインダ１２ｆを覗く場合の方がより大きいと考えられる。したがって、モニタ１１ｍへの接触面積を評価値として、該評価値と、しきい値とを比較することにより、ユーザがファインダ１２ｆを覗いているか否かの判定を簡便に行うことができる。接触面積による判定は、上述した、接触点の個数による判定と同様に、実装が容易である。
【０１１３】
［１−５．物体の接触または接近に基づく判定］
第１の表示部１１が、第１の表示部１１に対する物体の接触だけでなく、第１の表示部１１に対する物体の接近をさらに検出するようにしてもよい。例えば、モニタ１１ｍが投影型静電容量方式のタッチパネルとして構成される場合、制御部１３は、接近する物体の多点検出や、静電容量の増加または減少から、モニタ１１ｍに対するユーザの体の接近の度合いを判別することも可能である。
【０１１４】
図５Ａおよび図５Ｂは、ユーザによるモニタへの入力操作の一例を示す概略図である。
【０１１５】
図５Ａは、ユーザが人差し指でモニタ１１ｍに触れている状態を示している。図５Ｂは、ユーザが人差し指と親指とでモニタ１１ｍに触れている状態を示している。図５Ａおよび図５Ｂに示すように、ユーザが２本の指を使ってモニタ１１ｍに触れる場合、ユーザの体とモニタ１１ｍとが接近する部分の面積は、ユーザが１本の指でモニタ１１ｍに触れる場合と比較して大きくなる。なお、図５Ａおよび図５Ｂでは、モニタ１１ｍの表示領域のうち、ユーザの体とモニタ１１ｍとが接近する部分を交差線により模式的に示した。以下の説明においても、同様とする。
【０１１６】
図６Ａは、ユーザが撮像装置の底面をほぼ水平として、ユーザが撮像装置のファインダを覗いた状態を示す概略図である。
【０１１７】
ユーザがファインダ１２ｆを使用する際には、ユーザの顔と、モニタ１１ｍの表示面とが対向するため、図６Ａに示すように、ユーザの体（顔）とモニタ１１ｍとが接近する部分の面積は、ユーザが指でモニタ１１ｍに触れる場合と比較して、より大きくなる。言い換えれば、ユーザが指でモニタ１１ｍに触れる場合と比較して、ユーザがファインダ１２ｆを使用する場合の方が、物体の接近の検出される箇所（領域）が多くなる。したがって、例えば、ユーザの体とモニタ１１ｍとが接近する部分の面積を評価値とすることにより、ユーザがファインダ１２ｆを覗いているか、または、ユーザがタッチパネルとして構成されたモニタ１１ｍを操作しているかの判定を制御部１３に行わせることができる。
【０１１８】
このように、本開示では、モニタ１１ｍへの接触に基づく判定だけでなく、モニタ１１ｍへの近接に基づく判定も可能である。もちろん、モニタ１１ｍへの接触に基づく判定と、モニタ１１ｍへの近接に基づく判定とを組み合わせてもよい。
【０１１９】
モニタ１１ｍへの接触に基づく判定の場合と同様に、ユーザの体とモニタ１１ｍとが接近している部分の数や相対位置関係に基づいて、第１の表示部１１に接近する対象が人の顔であるか否かを制御部１３に判定させるようにしてもよい。また、第１の表示部１１に接近する対象が人の顔であるか否かの判定の過程において、重みづけされた評価値を利用してもよい。
【０１２０】
図６Ｂは、モニタに対するユーザの接触の可能性の高さに応じた重みづけの例を示す概略図である。
【０１２１】
例えば、ユーザの体とモニタ１１ｍとが接触または接近している部分の相対位置関係を利用した判定を行う場合を想定する。
【０１２２】
ここで、ユーザがファインダ１２ｆを覗いている状態を想定する。このとき、モニタ１１ｍに対して突出する、ユーザの鼻、唇および頬のそれぞれの周辺は、ユーザの顔の他の部位と比較して、モニタ１１ｍとの間の距離が小さい。
【０１２３】
したがって、例えば、図６Ｂに示すように、モニタ１１ｍに対してユーザの体が接触する可能性に応じて、評価値算出の際の重みを設定しておいてもよい。例えば、モニタ１１ｍの表示領域のうち、ユーザの鼻、唇または頬の接触する可能性が最も高い領域に対して最も大きな重みが設定され、該領域から離れるにしたがって、順次小さい重みが設定される。
【０１２４】
図６Ｂでは、モニタ１１ｍの表示領域のうち、ユーザの鼻、唇または頬の接触する可能性が最も高い領域を黒色の領域として示した。また、図６Ｂでは、ユーザの鼻、唇または頬の接触する可能性が次に高い領域を濃い網掛けにより示し、ユーザの鼻、唇または頬の接触する可能性が該領域の次に高い領域を薄い網掛けにより示した。このように、ユーザがファインダ１２ｆを覗いたときにおける、ユーザの顔の各部位とモニタ１１ｍとの間の距離に応じた重みを設定しておいてもよい。
【０１２５】
ユーザがファインダ１２ｆを覗いたときにおける、ユーザの顔の各部位とモニタ１１ｍとの間の距離に応じた重みを設定しておくことにより、第１の表示部１１に接近する対象が人の顔であるか否かの判定の精度を、より高くすることができる。
【０１２６】
［１−６．撮像装置の構え方に応じた評価値の算出の例］
上述した例では、ユーザが右目でファインダを覗くものとして説明を行ったが、ユーザが左目でファインダを覗く場面も想定される。したがって、ユーザがいずれの側の目でファインダを覗いた場合であっても、第１の表示部に接近する対象が人の顔であるか否かを判定できることが好ましい。
【０１２７】
図７Ａは、モニタの表示領域のうち、ユーザが右目で撮像装置のファインダを覗いた状態において、ユーザの鼻、唇または頬の接近する可能性の高い領域を模式的に示す概略図である。図７Ｂは、モニタの表示領域のうち、ユーザが左目で撮像装置のファインダを覗いた状態において、ユーザの鼻、唇または頬の接近する可能性の高い領域を模式的に示す概略図である。
【０１２８】
図７Ａおよび図７Ｂに示すように、モニタ１１ｍの表示領域のうち、ユーザが撮像装置１０のファインダ１２ｆを覗いた状態において、ユーザの鼻、唇または頬の接近する可能性の高い領域は、ユーザがいずれの目でファインダ１２ｆを覗くかによって異なる。なお、図７Ａおよび図７Ｂでは、モニタ１１ｍの表示領域のうち、ユーザが撮像装置１０のファインダ１２ｆを覗いた状態において、ユーザの鼻、唇または頬の接近する可能性の高い領域を網掛けにより示した。
【０１２９】
図８Ａは、モニタの表示領域のうち、ユーザが右目で撮像装置のファインダを覗いた状態において、ユーザの鼻、唇または頬の接近する可能性の高い領域と、ユーザが左目で撮像装置のファインダを覗いた状態において、ユーザの鼻、唇または頬の接近する可能性の高い領域とを示す概略図である。
【０１３０】
図８Ａでは、モニタ１１ｍの表示領域のうち、ユーザが右目でファインダ１２ｆを覗いたときに、ユーザの鼻、唇および右頬の接近する可能性の高い領域を右上がりの斜線により示した。すなわち、図８Ａに示す領域Ｒｎは、ユーザが右目でファインダ１２ｆを覗いたときに、ユーザの鼻の接近する可能性の高い領域である。図８Ａに示す領域Ｒｍは、ユーザが右目でファインダ１２ｆを覗いたときに、ユーザの唇の接近する可能性の高い領域である。また、図８Ａに示す領域Ｒｃは、ユーザが右目でファインダ１２ｆを覗いたときに、ユーザの右頬の接近する可能性の高い領域である。
【０１３１】
図８Ａでは、モニタ１１ｍの表示領域のうち、ユーザが左目でファインダ１２ｆを覗いたときに、ユーザの鼻、唇および左頬の接近する可能性の高い領域を右下がりの斜線により示した。すなわち、図８Ａに示す領域Ｌｎは、ユーザが左目でファインダ１２ｆを覗いたときに、ユーザの鼻の接近する可能性の高い領域である。図８Ａに示す領域Ｌｍは、ユーザが左目でファインダ１２ｆを覗いたときに、ユーザの唇の接近する可能性の高い領域である。また、図８Ａに示す領域Ｌｃは、ユーザが左目でファインダ１２ｆを覗いたときに、ユーザの左頬の接近する可能性の高い領域である。
【０１３２】
一方、図８Ａにおいて網掛けおよび交差線により示す領域Ｃ１、Ｃ２およびＣ３は、ユーザがいずれの側の目で撮像装置のファインダ１２ｆを覗いた状態においても、ユーザの鼻、唇または頬の接近する可能性の高い領域である。
【０１３３】
したがって、例えば、領域Ｃ１、Ｃ２およびＣ３における重みＷ0を、領域Ｒｎ、Ｒｍ
、Ｒｃ、Ｌｎ、ＬｍおよびＬｃにおける重みＷ1（Ｗ1＞０とする。）よりも大きく設定しておき、その他の領域における重みＷ2を０と設定しておく。
【０１３４】
さらに、モニタ１１ｍに対する接触の検出の有無に応じて、ブール値Ｂjを設定してお
く。すなわち、例えば、モニタ１１ｍに対する接触の検出があった部分に対して、ブール値として、Ｂj＝１を対応させ、モニタ１１ｍに対する接触の検出もない部分に対して、
ブール値として、Ｂj＝０を対応させる。
【０１３５】
この場合、例えば、積和ΣＷiＢjを評価値とすれば、ユーザがいずれの側の目でファインダ１２ｆを覗いた場合であっても、第１の表示部１１に接近する対象が人の顔であるか否かを判定することができる。なお、例えば、モニタの横方向および縦方向に配列された複数の電極の配置に対応させて、格子点を設定し、モニタに対する物体の接触または接近を格子点ごとに検出させれば、面積比を利用した判定も可能である。すなわち、各格子点における検出の有無を単位として、モニタの表示領域の全体で積分すれば、モニタの表示面積の全体に対する、モニタに対する物体の接触のある部分の割合を算出することができる。
【０１３６】
ところで、ユーザは、撮像装置の底面をほぼ水平として撮影を行うこともできるが、ユーザは、例えば、撮像装置の底面をほぼ垂直として撮影を行うこともできる。したがって、ユーザが、撮像装置の底面をほぼ垂直とした状態で、撮像装置のファインダを覗くことも想定される。以下では、撮像装置の底面が水平面に対してほぼ平行とされた状態を、
“水平状態”と適宜称することとし、撮像装置の底面が水平面に対してほぼ垂直とされた状態を、“垂直状態”と適宜称する。
【０１３７】
図８Ｂは、モニタの表示領域のうち、垂直状態とされた撮像装置のファインダをユーザが右目で覗いたときに、ユーザの鼻、唇または頬の接近する可能性の高い領域を模式的に示す概略図である。図９Ａは、モニタの表示領域のうち、垂直状態とされた撮像装置のファインダをユーザが左目で覗いたときに、ユーザの鼻、唇または頬の接近する可能性の高い領域を模式的に示す概略図である。図９Ｂは、モニタの表示領域のうち、ユーザが右目で撮像装置のファインダを覗いた状態において、ユーザの鼻、唇または頬の接近する可能性の高い領域と、ユーザが左目で撮像装置のファインダを覗いた状態において、ユーザの鼻、唇または頬の接近する可能性の高い領域とを示す概略図である。
【０１３８】
図１０Ａは、垂直状態とされた撮像装置のファインダをユーザが右目で覗いた状態を示す概略図である。図１０Ｂは、垂直状態とされた撮像装置のファインダをユーザが左目で覗いた状態を示す概略図である。
【０１３９】
図８Ｂ、図９Ａおよび図９Ｂは、図７Ａ、図７Ｂおよび図８Ａにそれぞれ対応する。図１０Ａおよび図１０Ｂは、図６Ａに対応する。なお、図１０Ａおよび図１０Ｂでは、ユーザが撮像装置のファインダを覗いた状態において、ユーザの鼻、唇または頬が、他の領域と比較して、より近接または接触する領域を網掛けおよび交差線により示した。
【０１４０】
図８Ｂ、図９Ａおよび図９Ｂに示すように、撮像装置１０が垂直状態とされると、モニタ１１ｍの表示領域のうち、ユーザの鼻、唇または頬の接近する可能性の高い領域は、撮像装置１０が水平状態とされる場合と大きく異なっている。また、図１０Ａおよび図１０Ｂに示すように、撮像装置１０が垂直状態とされると、モニタ１１ｍの表示領域のうち、ユーザの顔と、モニタ１１ｍの表示面とが対向する領域は、ユーザがいずれの側の目でファインダ１２ｆを覗くかによっても大きく異なる。
【０１４１】
そこで、ユーザの意図しない表示の切り替えを防止するために、表示制御装置１が、撮像装置１０の姿勢に応じた処理を実行するようにしてもよい。具体的には、例えば、撮像装置１０が水平状態にあるときには、図８Ａに示すようなマッピングにしたがって重みづけを行い、撮像装置１０が垂直状態にあるときには、図９Ｂに示すようなマッピングにしたがって重みづけを行うようにする。
【０１４２】
重みづけのためのマッピングを撮像装置の姿勢に応じて適宜選択するようにすることで、第１の表示部に接近する対象が人の顔であるか否かの判定の精度を、より高くすることができる。上述した例では、ユーザが撮像装置を縦または横に構える場合を示したが、ユーザが撮像装置を上下逆にして構えた場合など、その他の姿勢に応じた複数のマッピングをさらに用意しておいてもよい。なお、重みづけのためのマッピングを撮像装置の姿勢に応じて適宜選択して、撮像装置の姿勢に応じた評価値を算出することにかえ、撮像装置の姿勢に応じて、しきい値を適宜変更するようにしてもかまわない。
【０１４３】
［１−７．撮像装置のモードに応じたしきい値調整の例］
ところで、デジタルカメラは、複数のモードを備えることが一般的である。すなわち、デジタルカメラは、例えば、“撮影モード”と、“再生モード”とを備えている。撮影モードは、被写体に関する画像がファインダ内モニタまたは筺体の背面のモニタに表示されるとともに、ユーザからの画像記録の指示の入力が待機されるモードである。再生モードは、撮像により得られた画像がファインダ内モニタまたは筺体の背面のモニタに表示され、必要に応じて、画像データの編集などが可能とされるモードである。
【０１４４】
上述したように、撮影モードにおいては、メニューによる設定の切り替え操作などが主であることから、指１本程度の検出ができれば十分であることが多い。これは、ファインダを搭載する撮像装置は、主として中級者や上級者を対象として設計されるからである。
【０１４５】
ファインダを使用した撮影を行う中級者や上級者は、より撮影そのものに焦点を絞った操作の形態を好む傾向がある。例えば、撮影の中級者や上級者には、入力の形態として、より即時に操作の完結する、専用のボタンやダイヤルなどによる入力の形態が好まれる。
【０１４６】
そのため、ファインダと、タッチパネルとして構成されたモニタとを備える撮像装置のユーザが、撮影モードにおいてタッチパネルを使用して複雑な入力を行う場面は比較的少ない。したがって、撮影モードにおいては、入力操作のための多点検出や、入力操作のための物体の接近度合いの検出が必要となることはまれであるといえる。
【０１４７】
一方、再生モードにおいては、ピンチ操作による画像の拡大縮小や回転などの検出のために、指２本程度の検出ができることが好ましい。
【０１４８】
そこで、第１の表示部１１による表示と、第２の表示部１２による表示とを切り替わりやすさを、撮像装置１０のモードに応じて変更するようにしてもよい。より具体的には、例えば、制御部１３が、撮像装置１０が撮影モードであるか再生モードであるかに応じて、各モードに応じたしきい値を選択するようにしてもよい。
【０１４９】
例えば、複数の指を使用した複雑な操作の行われる可能性の低い撮影モード時には、第１の表示部１１に接近する対象が人の顔であるか否かの判定のためのしきい値を、再生モード時のしきい値よりも小さく設定しておく。撮影モード時のしきい値を再生モード時のしきい値よりも小さく設定しておくことにより、モニタ１１ｍに物体が接触または接近した場合に、ユーザがファインダ１２ｆを覗いていると判定されやすくなる。言い換えれば、撮像装置１０が再生モードである場合には、モニタ１１ｍに物体が接触または接近した場合にもユーザがファインダ１２ｆを覗いていると判定されにくくなる。そのため、ユーザが複数の指で入力操作などを行ったときの、ユーザの意図しない表示の切り替えの実行が防止される。
【０１５０】
したがって、撮像装置のモードに応じたしきい値が選択されることにより、撮像装置の誤動作を防止することができる。
【０１５１】
なお、撮像装置のモードに応じたしきい値が選択される場合には、重みづけのマッピングを撮像装置のモードに応じて変更しなくともよい。もちろん、撮像装置のモードに応じたしきい値が選択されることにかえ、撮像装置のモードに応じた重みづけのマッピングが選択されるようにしてもかまわない。この場合も、撮像装置のモードに応じて、撮像装置のモードに応じたしきい値が選択される場合と同様の効果を得ることができる。
【０１５２】
［１−８．表示制御装置における処理の一例］
（１−８−１．表示の切り替え処理）
図１１は、本開示の実施の形態にかかる処理の一例を示すフローチャートである。
【０１５３】
上述したように、本開示では、ユーザがファインダ１２ｆを覗いているか否かの判定結果に応じて、第１の表示部１１による表示と、第２の表示部１２による表示とを切り替させるようにしている。図１１を参照して以下に説明する一連の処理のためのプログラムは、例えば、ＲＯＭ１２３やＲＡＭ１２５、記憶部１１９などに格納され、図１１を参照して以下に説明する一連の処理は、例えば、制御部１３により実行される。
【０１５４】
まず、ステップＳｔ１において、第１の表示部１１からの出力が制御部１３に取得される。例えば、モニタ１１ｍが、縦横に配列された電極をそれぞれ複数列備える抵抗膜方式のタッチパネルとして構成される場合には、制御部１３は、モニタ１１ｍからの出力を入力として、接触点の個数（個々の接触点の座標）に関する情報を得る。
【０１５５】
次に、ステップＳｔ２において、第１の表示部１１からの入力に基づいて、第１の表示部１１に接近する対象が人の顔であるか否かの判定のための評価値ＥＶが算出される。上述したように、例えば、モニタ１１ｍに対するユーザの体の接触点の個数や、複数の接触点の間の相対位置関係（形状パターンの類似度）、接触面積などを評価値ＥＶとすることができる。
【０１５６】
例えば、モニタ１１ｍに対するユーザの体の接触点の個数から、ユーザがファインダ１２ｆを覗いているか否かの判定が行われる場合には、モニタ１１ｍに対するユーザの体の接触点の個数が評価値ＥＶとなる。モニタ１１ｍに対するユーザの体の接触だけでなく、モニタ１１ｍに対するユーザの体の接近の度合いを評価値ＥＶの算出の過程に取り込むようにしてももちろんかまわない。
【０１５７】
このとき、撮像装置１０の姿勢に応じた大きさの評価値ＥＶを算出するための処理が実行されてもよい。撮像装置１０の姿勢に応じた大きさの評価値ＥＶを得るには、例えば、評価値ＥＶの算出の過程において、例えば、重みづけのマッピングとして、撮像装置１０の姿勢に応じたマッピングを適用すればよい。
【０１５８】
次に、ステップＳｔ３において、第１の表示部１１に接近する対象が人の顔であるか否かの判定のためのしきい値ＴＨが、例えば、ＲＯＭ１２３から制御部１３に読み込まれる。複数のしきい値が用意される場合には、複数のしきい値のうちから適切なしきい値が、例えば、撮像装置１０のモードに応じて選択される。
【０１５９】
次に、ステップＳｔ４において、ステップＳｔ２において算出された評価値ＥＶと、ステップＳｔ３において選択されたしきい値ＴＨとが比較される。
【０１６０】
いま、例えば、しきい値ＴＨが、ＴＨ＝２であり、評価値ＥＶが、ＥＶ＝３であったとする。評価値ＥＶがしきい値ＴＨを上回る場合には、ユーザがファインダ１２ｆにより被写体に関する画像を確認していると考えられる。したがって、評価値ＥＶがしきい値ＴＨを上回る場合、処理はステップＳｔ５に進められ、ステップＳｔ５において、例えば、第１の表示部１１の表示がオフとされるとともに、第２の表示部１２の表示がオンとされる。
【０１６１】
一方、評価値ＥＶがしきい値ＴＨ以下である場合には、ユーザがモニタ１１ｍにより被写体に関する画像を確認していると考えられる。したがって、評価値ＥＶがしきい値ＴＨ以下である場合には、処理はステップＳｔ６に進められ、ステップＳｔ６において、例えば、第２の表示部１２の表示がオフとされるとともに、第１の表示部１１の表示がオンとされる。
【０１６２】
（１−８−２．評価値算出の処理）
図１２Ａは、評価値算出の処理の一例を示すフローチャートである。
【０１６３】
図１２Ａは、撮像装置の姿勢に応じた大きさの評価値ＥＶを算出するための処理の一例を示している。例えば、ユーザが撮像装置１０を横に構えた場合に使用される重みづけのマッピング（以下、“水平状態用マッピング”と適宜称する。）と、ユーザが撮像装置１０を縦に構えた場合に使用される重みづけのマッピング（以下、“垂直状態用マッピング”と適宜称する。）とが、あらかじめ用意されているとする。例えば、図８Ａおよび図９Ｂに示すマッピングが、水平状態用マッピングおよび垂直状態用マッピングにそれぞれ相当する。水平状態用マッピングおよび垂直状態用マッピングの各データは、例えば、ＲＯＭ１２３やＲＡＭ１２５、記憶部１１９などに格納されている。
【０１６４】
撮像装置１０の姿勢に応じた大きさの評価値ＥＶを得るために、まず、ステップＳｔ２１において、撮像装置１０が水平状態であるか否かの判定が実行される。該判定は、センサ１９からの入力に基づいて行うことが可能である。
【０１６５】
撮像装置１０が水平状態である場合には、ステップＳｔ２２において、水平状態用マッピングが選択される。一方、撮像装置１０が垂直状態である場合には、ステップＳｔ２３において、垂直状態用マッピングが選択される。
【０１６６】
次に、ステップＳｔ２４において、水平状態用マッピングまたは垂直状態用マッピングのいずれかに基づいて、評価値ＥＶが計算される。例えば、評価値ＥＶとして、積和ΣＷiＢjを計算することにより、撮像装置１０の姿勢に応じた大きさの評価値ＥＶを得ることができる。
【０１６７】
（１−８−３．しきい値選択の処理）
図１２Ｂは、しきい値選択の処理の一例を示すフローチャートである。
【０１６８】
図１２Ｂは、撮像装置のモードに応じた大きさのしきい値ＴＨを設定するための処理の一例を示している。例えば、撮像装置１０が撮影モードである場合に使用されるしきい値（以下、“撮影モード用しきい値”と適宜称する。）と、撮像装置１０が再生モードである場合に使用されるしきい値（以下、“再生モード用しきい値”と適宜称する。）とが、あらかじめ用意されているとする。撮影モード用しきい値および再生モード用しきい値は、例えば、ＲＯＭ１２３やＲＡＭ１２５、記憶部１１９などに格納されている。
【０１６９】
例えば、撮像装置１０のモードに応じた複数のしきい値が用意される場合、まず、ステップＳｔ３１において、撮像装置１０が撮影モードであるか否かの判定が実行される。撮像装置１０が撮影モードであるか否かは、例えば、ＲＡＭ１２５に保存された変数を参照することにより、容易に確認することができる。
【０１７０】
撮像装置１０が撮影モードである場合には、ステップＳｔ３２において、撮影モード用しきい値が制御部１３に読み込まれる。一方、撮像装置１０が再生モードである場合には、ステップＳｔ３３において、再生モード用しきい値が制御部１３に読み込まれる。すなわち、撮像装置１０のモードに応じて、第１の表示部１１に接近する対象が人の顔であるか否かの判定に適したしきい値が選択される。
【０１７１】
なお、図１１ならびに図１２Ａおよび図１２Ｂに示す処理は、あくまでも例である。したがって、例えば、撮像装置の姿勢に応じた大きさの評価値の算出のための処理や、撮像装置のモードに応じた大きさのしきい値を設定するための処理が、必要に応じて実行されるようにされてもよい。また、撮像装置の姿勢に応じた大きさのしきい値の設定のための処理や、撮像装置のモードに応じた評価値を算出するための処理が、必要に応じて実行されるようにされてもよい。
【０１７２】
なお、ユーザの顔の形やユーザのファインダ１２ｆへの顔の接近のさせ方には個人差がある。例えば、モニタ１１ｍに接触または近接する、ユーザの鼻、唇および頬の３点を結んで得られる三角形状のパターンは、個々のユーザにほぼ固有の三角形状のパターンである。したがって、ユーザごとにキャリブレーションできることが好ましい。
【０１７３】
例えば、個々のユーザは、キャリブレーションのためのメニューを呼び出した後、ファインダ１２ｆを覗くことにより、顔をモニタ１１ｍに接近させる。ユーザが顔をモニタ１１ｍに接近させた状態で、撮像装置１０は、タッチパネルとして構成されたモニタ１１ｍにより、モニタ１１ｍへの接触または接近の検出を行う。
【０１７４】
撮像装置１０は、例えば、モニタ１１ｍにより検出された情報をもとにして、第１の表示部１１に接近する対象が人の顔であるか否かの判定のためのしきい値などの補正を行う。例えば、複数の接触点の間の相対位置関係による判定を採用する場合であれば、ユーザの顔の形に対応したパターンやマップの作成または補正が制御部１３により実行される。
【０１７５】
このように、本開示では、物体の接触または接近が第１の表示部に検出されるので、専用の部品を必要とせずに、ユーザがファインダを覗いているか否かを検出することができる。したがって、本開示によれば、部品自体のコストや実装のコストを抑えながら、第１の表示部による表示と、第２の表示部による表示とを自動的に切り替えさせることができる。
【０１７６】
以上に説明したように、本開示によれば、人の顔がモニタに接近しているか否かが、タッチパネルとして構成されるモニタからの入力に基づいて判定されるため、ユーザによるファインダの使用を検出するための近接センサなどの専用の部品を不要とすることができる。また、ファインダの近傍に近接センサを配置する必要がないため、撮像装置に大型のモニタを配置することができる。
【０１７７】
なお、ユーザがモニタにより被写体や撮影に使用されるパラメータなどを確認する時には、ファインダ内モニタに情報を表示していても、ユーザは、モニタによる表示と、ファインダ内モニタによる表示とを同時に確認することは困難である。また、モニタおよびファインダ内モニタがともにオンとされていると、モニタの発する光がファインダを覗くユーザの目に入って撮影の妨げとなったり、撮像装置の電源の駆動時間が短くなってシャッタチャンスを逃すこととなったりする。したがって、モニタによる表示およびファインダ内モニタによる表示の両方を有効としておくことはあまり有益ではない。
【０１７８】
本開示では、第１の表示部からの入力に基づいて、第１の表示部および第２の表示部のいずれをユーザが使用しているかが推定されて、第１の表示部による表示と、第２の表示部による表示との切り替えが自動的に実行される。本開示によれば、第１の表示部による表示と、第２の表示部による表示との切り替えが自動的に実行されるため、無駄な電力消費が抑制されるとともに、表示の切り替えのためにユーザが意図して煩雑な入力操作を行う必要もなく、ユーザの利便性が向上される。
【０１７９】
＜２．変形例＞
以上、好適な実施の形態について説明してきたが、好適な具体例は、上述した例に限定されるものではなく、以下に示すように、本開示は、各種の変形が可能である。
【０１８０】
［２−１．第１の変形例］
これまでの説明においては、撮像装置１０のモードに応じて、第１の表示部１１による表示と、第２の表示部１２による表示との間の切り替わりやすさが変更される例を示したが、撮影時の状況に応じて、表示の切り替わりやすさが変更されるようにしてもよい。
【０１８１】
例えば、被写体の確認において、モニタ１１ｍを使用するよりも、ファインダ１２ｆを使用する方がユーザにとって有益な場合がある。このような場面では、表示制御装置１が、ユーザがファインダ１２ｆを覗いていると判定されやすいように設定されていると便宜である。
【０１８２】
モニタ１１ｍを使用するよりも、ファインダ１２ｆを使用する方が有益な状況としては、以下のような状況が考えられる。例えば、晴天時の屋外撮影など、モニタ１１ｍによる表示が確認しにくいほどに明るい環境下でユーザが撮影を行う場合には、ファインダ１２ｆが使用されることが好ましい。または、例えば、モニタ１１ｍが点灯していると、モニタ１１ｍから発せられる光がユーザや他の者にとってまぶしく感じられるような暗い環境下で撮影が行われる場合も、ファインダ１２ｆが使用されることが好ましい。例えば、学芸会や舞台の撮影、コンサートホールにおける撮影、夜間撮影の場面では、ユーザは、モニタ１１ｍを使用するよりもファインダ１２ｆを使用した方が被写体を確認しやすい。また、モニタ１１ｍから発せられる光が、ユーザや他の観客、演者に不快感を与えることもない。
【０１８３】
したがって、撮影時の環境が、ファインダ１２ｆの使用によりユーザがよりよい撮影を行えると考えられる場合に、表示制御装置１が、ユーザがファインダ１２ｆを覗いていると判定されやすく設定されていることが好ましい。
【０１８４】
撮影時の環境がファインダ１２ｆの使用に適した環境であるか否かの判定に際しては、制御部１３は、例えば、モニタ１１ｍの明るさ調整のための光センサの出力や、自動露出のための測光センサの出力などから、ユーザの周囲の明るさに関する情報を得ることができる。撮像装置１０が自動シーン認識機能を備える場合には、自動シーン認識機能により、撮影時の環境に関する情報を得ることもできる。また、例えば、撮像装置１０がグローバルポジショニングシステム（global positioning system（ＧＰＳ））機能を備える場
合には、制御部１３は、ユーザのロケーションに関する情報を容易に得ることができる。
【０１８５】
撮影時の環境がファインダ１２ｆの使用に適した環境である場合に、ユーザがファインダ１２ｆを覗いていると判定されやすくするには、例えば、しきい値を小さく設定したり、評価値が大きく算出される重みづけのマッピングを使用したりすればよい。例えば、検出の各単位において１よりも大きい係数が重みに乗じられたマッピングを用意しておく。そして、撮影時の環境がファインダ１２ｆの使用に適していると判定された場合に、該マッピングが適用されるようにしておく。すると、撮影時の環境がファインダ１２ｆの使用に適した環境である場合の評価値が、他の場合の評価値よりも大きくなる。
【０１８６】
また、撮影時の撮像装置１０の状態によっては、ファインダ１２ｆが使用されることにより、ユーザがよりよい撮影を行えると考えられる場合もある。
【０１８７】
例えば、焦点距離の大きいレンズが使用される場合や、焦点距離の大きいズーム位置での撮影を行う場合には、モニタ１１ｍを使用するよりも、ファインダ１２ｆを使用する方が有利である。モニタ１１ｍを使用して被写体を確認する場合には、ユーザは、撮像装置１０を自身の顔からある程度離す必要がある。一方、ファインダ１２ｆを使用して被写体を確認する場合には、ユーザは、撮像装置１０を自身の顔に近づけるとともに、自身の脇を締めて撮像装置１０を保持できる。したがって、撮影時の焦点距離が大きい場合には、ファインダ１２ｆを使用して被写体を確認する方が、ユーザは安定して撮像装置１０を保持することができ、得られる画像のぶれを抑えることができる。
【０１８８】
なお、焦点距離に関する情報は、撮像装置がもつ基本的な情報の一つであるので、制御部１３は、制御情報として焦点距離に関する情報を容易に得ることができる。
【０１８９】
ところで、撮影時の焦点距離が大きい場合には、三脚などにより撮像装置が固定された状態で撮影が行われることが好ましい。これは、望遠レンズを使用する場合、シャッタスピードを大きくすることが困難であることも多く、小さな手ぶれであっても、得られる画像に大きなぶれが生じてしまうからである。
【０１９０】
すなわち、撮影時の焦点距離が大きく、かつユーザが撮像装置１０を手に持ちながら撮影を行っていると判断される場合には、ユーザがファインダ１２ｆを使用する可能性がより高い。したがって、撮影時の環境または撮像装置１０の状態がファインダ１２ｆの使用に適した環境であるとともに、ユーザが手持ち撮影を行っていると判断される場合に、表示制御装置１が、ユーザがファインダ１２ｆを覗いていると判定されやすく設定されていることが好ましい。
【０１９１】
ユーザが手持ち撮影を行っているか否かの判定に際しては、制御部１３は、例えば、振動ジャイロスコープや加速度センサなどを含むセンサ１９の出力から、撮像装置１０に与えられる振動の大きさに関する情報を得ることができる。制御部１３は、撮像装置１０に与えられる振動の大きさに関する情報により、ユーザが手持ち撮影を行っているか否かを判定することができる。
【０１９２】
なお、このような場面では、手ぶれ補正機能の使用がより効果的となる。
【０１９３】
そこで、撮影時の環境または撮像装置１０の状態がファインダ１２ｆの使用に適した環境であるとともに、ユーザが手持ち撮影を行っていると判断される場合に、撮像装置１０に与えられる振動の大きさに応じて手ぶれ補正の度合いが調整されてもよい。
【０１９４】
ここで、「手ぶれ補正の度合いが調整される」とは、撮像装置１０に与えられる振動の大きさに応じて、１以上の手ぶれ補正機構１７の動作が順次有効または無効とされたり、それぞれの手ぶれ補正機構における補正量が段階的または連続的に変更されたりすることを指す。
【０１９５】
例えば、撮像装置１０が、光学系に対する物理的な手ぶれ補正機構と、画像信号に対する電気的な手ぶれ補正機構とを備えているとする。また、撮像装置１０が、光学系に対する物理的な手ぶれ補正として、撮像素子１５の移動による手ぶれ補正機構と、結像光学系１１１中の補正レンズの移動による手ぶれ補正機構とを備えているとする。
【０１９６】
いま、例えば、１以上の手ぶれ補正機構１７が全てオフであるとする。この状態において、ユーザが手持ち撮影を行っているとの判定がなされたとする。
【０１９７】
すると、まず、例えば、撮像素子１５の移動による手ぶれ補正機構、補正レンズの移動による手ぶれ補正機構および画像信号に対する電気的な手ぶれ補正機構のうちのいずれかが、オンとされる。または、例えば、補正量の演算において、低周波領域に対する補正の割合が、大きくされる。なお、手ぶれ補正機構のいずれかが既にオンとされている場合には、撮像装置１０に与えられる振動の大きさに応じて、撮像素子１５の移動による手ぶれ補正機構、補正レンズの移動による手ぶれ補正機構、画像信号に対する電気的な手ぶれ補正機構が、順次オンとされる。光学系に対する物理的な手ぶれ補正機構に加えて、画像信号に対する電気的な手ぶれ補正機構がさらにオンとされると、より大きな画角で手ぶれを補正することができる。
【０１９８】
このように、撮影時の環境または撮像装置１０の状態に応じて、例えば、しきい値を小さく設定したり、評価値が大きく算出される重みづけのマッピングを使用したりするとともに、撮像装置１０のぶれやすさに応じて、手ぶれ補正の度合いが調整されてもよい。ファインダ１２ｆの表示に切り替わった場合、ユーザが１２ｆを使用する可能性が高い場面と判定し、ＩＳＯの感度を上げ、シャッタースピードを速くするようにしても良い。
【０１９９】
以上に説明したように、ユーザがファインダ１２ｆを使用する可能性の高い場面において、表示制御装置１を、ユーザがファインダ１２ｆを覗いていると判定されやすく設定しておいてもよい。このようにすることで、通常の環境における誤動作を防止しながら、ユーザがファインダ１２ｆを使用する可能性の高い場面における、よりスムースな表示の切り替えが実現される。
【０２００】
［２−２．第２の変形例］
図１３Ａは、撮像装置の第２の変形例を示す側面図である。図１３Ｂは、撮像装置の本体部からファインダユニットが取り外された状態を示す側面図である。
【０２０１】
図１３Ａに示す撮像装置２０は、撮像素子１５と、モニタ１１ｍと、制御部１３とを備える点で、上述した撮像装置１０と共通する。撮像装置２０は、例えば、内部に撮像素子１５の配置される本体部２０ｂと、本体部２０ｂに対する着脱が自在とされるレンズユニット２０ｒと、本体部２０ｂに対する着脱が自在とされるファインダユニット２２ｆとから構成される。図１３Ａおよび図１３Ｂに示すファインダユニット２２ｆは、第２の表示部１２に対応する。すなわち、第２の変形例では、第２の表示部１２が、例えば、撮像装置２０の本体部２０ｂの筺体２００に対して着脱自在とされる点で、上述した撮像装置１０と相違する。
【０２０２】
（ファインダユニット）
図１３Ａおよび図１３Ｂに示すように、ファインダユニット２２ｆの内部には、ファインダ内モニタ２２ｍが配置される。ファインダ内モニタ２２ｍには、例えば、撮影に使用されるパラメータに関する情報などが表示される。
【０２０３】
ファインダユニット２２ｆが電子ファインダとして構成される場合、被写体に関する画像信号と、撮影に使用されるパラメータの表示に関する画像信号とが、コネクタ２３を介して、制御部１３からファインダ内モニタ２２ｍに供給される。ファインダユニット２２ｆが光学式ファインダとして構成されてももちろんかまわない。この場合は、撮影に使用されるパラメータの表示に関する画像信号が、コネクタ２３を介して、制御部１３からファインダ内モニタ２２ｍに供給される。
【０２０４】
なお、ファインダユニット２２ｆの表示の方向が、少なくとも、筺体２００の背面などに配置されるモニタ１１ｍの表示の方向とほぼ同じ方向に設定できることが好ましい。ユーザがファインダユニット２２ｆを使用するときに、筺体２００の背面などに配置されるモニタ１１ｍの表示面と、ユーザの顔とが対向するからである。
【０２０５】
このように、第２の表示部１２が、着脱式の表示装置として構成されていてもよい。例えば、表示の方向がモニタの表示方向とほぼ同じ方向に設定できるファインダユニットを着脱自在としておけば、タッチパネルとして構成されたモニタを備える撮像装置に対して、表示の切り替えの機能を付加することができる。
【０２０６】
［２−３．第３の変形例］
図１４Ａおよび図１４Ｂは、撮像装置の第３の変形例を示す背面図である。
【０２０７】
第３の変形例は、モニタの表示領域のうち、ユーザがファインダを使用するときに、ユーザの顔と重ならない領域が、入力操作のための領域とされる例である。
【０２０８】
図１４Ａでは、ユーザが撮像装置３０の底面をほぼ水平として、ユーザが撮像装置３０のファインダ１２ｆを右目で覗いた状態を示している。図１４Ａに示すように、ユーザが撮像装置３０のファインダ１２ｆを右目で覗いた状態においては、モニタ１１ｍの表示領域のうち、右下の領域がユーザの顔と重なる可能性は低い。
【０２０９】
このとき、例えば、モニタ１１ｍによる表示は、オフとされているが、タッチパネルとして構成されたモニタ１１ｍを入力素子として使用することが可能である。言い換えれば、モニタ１１ｍの表示領域のうち、ユーザの顔と重ならない領域に対するユーザの体の接触や接近をモニタ１１ｍに検出させることができる。
【０２１０】
例えば、ユーザは、図１４Ｂに示すように、モニタ１１ｍの表示領域のうち、ユーザの顔と重ならない領域に、右手の親指でタッチすることができる。図１４Ｂでは、ユーザの顔とモニタ１１ｍとが重なる領域を交差線により模式的に示した。
【０２１１】
ユーザの顔と重ならない領域に対する入力操作が検出されると、撮像装置３０は、該領域に対する入力操作にあらかじめ割り当てられていた機能を実行する。該領域に対する入力操作に対しては、例えば、自動露出の固定やオートフォーカスの固定、顔検出のオンまたはオフの切り替え、フラッシュの使用の有無の切り替え、“絞り優先モード”や“シャッタスピード優先モード”などの撮影のモードの切り替えなどを割り当てておくことができる。
【０２１２】
このとき、ユーザが、ファインダ１２ｆの使用時において入力操作のために使用される領域を触覚により認識できるように、例えば、撮像装置３０の筺体３００に、ピクトグラムなどをかたどった凹凸や点字などのモールド３０１を設けておいてもよい。または、例えば、モニタの表示領域のうち、ファインダ１２ｆの使用時において入力操作のために使用される領域の質感を他の領域と異ならせておいてもよい。
【０２１３】
なお、ユーザの顔と重ならない領域における検出結果は、第１の表示部１１に接近する対象が人の顔であるか否かの判定からは除かれる。言い換えれば、ユーザの顔と重ならない領域における検出結果は、第１の表示部１１に接近する対象が人の顔であるか否かの判定のための評価値の算出には使用されない。また、ユーザの顔と重ならない領域への入力操作に対する機能の割り当ては、ユーザがファインダ１２ｆから顔を離すことにより解除される。
【０２１４】
このように、ユーザがファインダ１２ｆを使用するときに、ユーザの顔と重ならない領域を入力操作のための領域として利用することにより、ファインダ１２ｆを覗きながらであっても、ユーザは、撮影のパラメータを変更することができる。例えば、ユーザは、撮像装置３０に対して自動露出の固定を指示することにより、露出の設定を変えずに、ファインダ１２ｆを覗きながら構図を変更することができる。
【０２１５】
また、ユーザの顔と重ならない領域を入力操作のための領域として利用することにより、モニタ１１ｍの全領域を検出素子として有効に活用することができ、撮像装置の筺体に配置されるボタンの数を減らして、撮像装置のデザイン性を向上させることができる。
【０２１６】
図１５Ａおよび図１５Ｂは、モニタの表示領域のうち、ユーザがファインダを使用するときに、ユーザの顔と重ならない領域に機能アイコンが表示される撮像装置の例を示す背面図である。
【０２１７】
図１４Ａおよび図１４Ｂでは、ユーザによるファインダ１２ｆの使用時に、モニタ１１ｍによる表示がオフとされる例を示したが、図１５Ａおよび図１５Ｂに示すように、モニタ１１ｍの表示内容が変更されるようにしてもよい。図１５Ａおよび図１５Ｂに示す例では、ユーザによるファインダ１２ｆの使用時に、ユーザの顔と重なる領域の表示の明るさが落とされ、ユーザの顔と重ならない領域に機能アイコン３０３が表示される。なお、図１５Ｂでは、ユーザの顔とモニタ１１ｍとが重なる領域を交差線により模式的に示した。
【０２１８】
このように、ユーザによるファインダ１２ｆの使用時に、ユーザの顔と重ならない領域に機能アイコン３０３を表示させ、該領域に表示された機能アイコン３０３に対するタッチ操作をモニタ１１ｍに検出させて、あらかじめ割り当てられた機能を実行させるようにしてもよい。この場合も、機能アイコン３０３の近傍の領域は、モニタ１１ｍに対するユーザの体の接近の検出に使用されない。
【０２１９】
ここでは、ユーザが撮像装置３０の底面をほぼ水平として、ユーザが撮像装置３０のファインダ１２ｆを右目で覗く場合についてのみ説明したが、この例に限られない。ユーザが撮像装置３０を縦に構える場合や、ユーザが撮像装置３０のファインダ１２ｆを左目で覗く場合についても、同様の手法を適用することが可能である。
【０２２０】
以上に説明したように、本開示では、撮像装置の筺体の背面などに配置されるモニタがタッチパネルとして構成されるとともに、該モニタにより、物体の接触または接近が検出される。そのため、本開示によれば、専用の部品を不要としながら、ユーザの顔の接触または接近を検出することができる。
【０２２１】
また、本開示では、タッチパネルとして構成されるモニタからの出力に基づいて、ユーザの顔の接触または接近の有無が判定される。したがって、本開示によれば、専用の部品を必要とせずに、ファインダの内部に配置されるモニタによる情報の表示と、撮像装置の筺体の背面などに配置されるモニタによる情報の表示との切り替えを実現することができる。
【０２２２】
なお、本開示は、静止画の撮影のみならず、動画の撮影にも適用することができる。また、上述した実施の形態では、デジタルカメラを例にとったが、本開示は、ビデオカメラや顕微鏡、画像データのビューワなどにも適用することができる。
【０２２３】
上述の実施の形態において挙げた構成、方法、形状および数値などはあくまでも例に過ぎず、必要に応じてこれと異なる構成、方法、形状および数値などを用いてもよい。上述の実施の形態の構成、方法、形状および数値などは、本開示の主旨を逸脱しない限り、互いに組み合わせることが可能である。
【０２２４】
例えば、上述した評価値の算出の手法や、ユーザがファインダを覗いているか否かの判定の方法は、あくまでも例示であり、上述した手法を互いに組み合わせるようにしてもよい。
【０２２５】
上述の実施の形態では、撮像装置が撮影モードであるか再生モードであるかに応じて、各モードに応じたしきい値が選択される例を示したが、この例に限られない。例えば、撮像装置が撮影モードであるときに、モニタに対するユーザの入力操作を無効として、モニタに対する物体の接触または接近のみをモニタに検出させるようにしてもよい。この場合、入力操作の無効化および表示の切り替えのいずれを優先して実行させるかをユーザが選択できることが好ましい。
【０２２６】
なお、本開示は以下のような構成もとることができる。
（１）
ユーザの操作を受けつけるとともに、情報をユーザに提示する第１の表示部と、
第２の表示部と、
前記第１の表示部からの入力に基づいて、前記第１の表示部による表示と、前記第２の表示部による表示とを切り替える制御部と
を備える表示制御装置。
（２）
前記制御部が、前記入力に基づいて、前記第１の表示部に接触または接近する対象が人の顔であるか否かを判定し、前記判定の結果に応じて、前記第１の表示部による表示と、前記第２の表示部による表示とを切り替える（１）に記載の表示制御装置。
（３）
前記判定が、前記入力から算出される評価値と、あらかじめ用意される１以上のしきい値のうちの１つとの比較によりなされる（２）に記載の表示制御装置。
（４）
前記第１の表示部に対する接触または接近が、前記第１の表示部の表示領域に想定される格子点に対応した領域への接触または接近を単位として検出され、
前記評価値が、前記第１の表示部に対する接触または接近の検出された単位の数から算出される（３）に記載の表示制御装置。
（５）
前記評価値が、前記第１の表示部に対する接触または接近の検出された１以上の領域の間の相対位置関係と、あらかじめ規定された形状パターンとの類似度から算出される（３）に記載の表示制御装置。
（６）
前記評価値が、前記第１の表示部に対する接触または接近の検出された１以上の領域の面積から算出される（３）に記載の表示制御装置。
（７）
前記第１の表示部に接触または接近する対象が人の顔であると判定されたときに、あらかじめ設定された機能の実行に関する画像が前記第１の表示部に表示される（２）ないし（６）のいずれか１項に記載の表示制御装置。
（８）
前記画像が、前記第１の表示部の表示領域のうち、前記第１の表示部に対する接触または接近の検出されない領域に表示される（７）に記載の表示制御装置。
（９）
筺体の内部に配置される撮像素子と、
前記筺体に連結され、ユーザの操作を受けつけるとともに、情報をユーザに提示する第１の表示部と、
表示の方向が前記第１の表示部の表示の方向と略同じ方向に設定される第２の表示部と、
前記第１の表示部からの入力に基づいて、前記第１の表示部による表示と、前記第２の表示部による表示とを切り替える制御部と
を備える撮像装置。
（１０）
前記第２の表示部が、前記筺体に対して着脱自在とされる（９）に記載の撮像装置。
（１１）
前記制御部が、前記入力から算出される評価値と、あらかじめ用意される１以上のしきい値のうちの１つとの比較により、前記第１の表示部に接触または接近する対象が人の顔であるか否かを判定する（９）または（１０）に記載の撮像装置。
（１２）
２以上のモードを有し、
前記１以上のしきい値のうちの１つが、前記モードに応じて選択される（１１）に記載の撮像装置。
（１３）
１以上の手ぶれ補正機構と、
少なくとも振動を検出する検出素子と
をさらに備え、
前記検出素子の検出結果に応じて、手ぶれ補正の度合いが調整される（９）ないし（１２）のいずれか１項に記載の撮像装置。
（１４）
１以上の手ぶれ補正機構と、
をさらに備え、
前記第２の表示部による表示に切り替わった場合、手ぶれ補正の度合いが調整される（９）ないし（１２）のいずれか１項に記載の撮像装置。
（１５）
１以上の手ぶれ補正機構と、
をさらに備え、
前記第２の表示部による表示に切り替わった場合、ＩＳＯ感度を上げ、シャッタースピードを速くする（９）ないし（１２）のいずれか１項に記載の撮像装置。
（１６）
ユーザの操作を受けつけるとともに、情報をユーザに提示する第１の表示部からの入力に基づいて、前記第１の表示部による表示と、第２の表示部による表示とを切り替えること
を含む表示制御方法。
【符号の説明】
【０２２７】
１                      表示制御装置
１０，２０，３０        撮像装置
１１                    第１の表示部
１１ｍ                  モニタ
１２                    第２の表示部
１２ｆ                  ファインダ
２２ｆ                  ファインダユニット
１３                    制御部
１５                    撮像素子
１７                    手ぶれ補正機構
１９                    センサ
１００，２００，３００  筺体
【図１】
2014003422.tif 000003
【図２】
2014003422.tif 000004
【図３】
2014003422.tif 000005
【図４】
2014003422.tif 000006
【図５】
2014003422.tif 000007
【図６】
2014003422.tif 000008
【図７】
2014003422.tif 000009
【図８】
2014003422.tif 000010
【図９】
2014003422.tif 000011
【図１０】
2014003422.tif 000012
【図１１】
2014003422.tif 000013
【図１２】
2014003422.tif 000014
【図１３】
2014003422.tif 000015
【図１４】
2014003422.tif 000016
【図１５】
2014003422.tif 000017